(57)【要約】【課題】補強用芯材や、ガラスに代わる透明なボードとして、強靱で耐衝撃性に優れた防護用ボートを提供する。【解決手段】ポリカーボネートを用いた基材ボード２の一側面と他側面とに、それぞれ接着層３を介して合成樹脂フィルム４を３層ずつ接合して、防護用ボード１を構成する。【選択図】  図１
2004188144.tif 000002
【特許請求の範囲】
【請求項１】
ポリカーボネートを用いた基材ボードの一側面及び／または他側面に、単層または複数層の合成樹脂フィルムを接合してなる防護用ボード。
【請求項２】
最外側に位置する合成樹脂フィルムの表面に、ハードコート層を設けたことを特徴とする請求項１に記載の防護用ボード。
【発明の詳細な説明】
【０００１】
【発明の属する技術分野】
本発明は、強靱で防犯性を必要とするスーツケース等の持ち運び用ケース類などの補強用芯材、あるいはガラスに代わるボードとして好適な防護用ボードに関する。
【０００２】
【従来の技術】
例えば、スーツケースやトランクケース，アタッシュケース等の持ち運び用ケースにあっては、ケース本体を、布地または軟質合成樹脂の内側を芯材で補強した軽量なものや、硬質合成樹脂やアルミニューム，ステンレス，ジュラルミン等の軽金属材料を用いて、耐久性と防犯性を高めたものが知られている。
【０００３】
【発明が解決しようとする課題】
このようなスーツケースやトランクケースを海外旅行に使用した場合に、布製や合成樹脂製のケース本体では、ケース本体を刃物で切られたり抉られたりして、内部の金品を盗まれるという被害を被ることがあり、金品を保護するのに充分な作りであるとはいえなかった。
【０００４】
また、海外の治安のわるい地域では、銃や刀剣を用いた強盗あるいはテロに巻き込まれる虞があるが、このような場合には、軽金属製のケース本体を用いたスーツケースやトランクケースとて、身を守る楯となるほどの機能はない。
【０００５】
そこで本発明は、スーツケースやトランクケース等の持ち運び用ケースの補強用芯材として使用したり、ガラスに代わる透明なボードとして、軽量かつ強靱で耐衝撃性に優れた防護用ボートを提供することを目的としている。
【０００６】
【課題を解決するための手段】
上述の目的にしたがって、本発明の防護用ボードは、ポリカーボネートを用いた基材ボードの一側面及び／または他側面に、単層または複数層の合成樹脂フィルムを接合したことを特徴としている。合成樹脂フィルムには、ポリエステルフィルムやポリエチレンフィルム，ポリエチレンテレフタレートフィルム，ウレタンフィルムを用いることができる。また、最外側に位置する合成樹脂フィルムの表面に、ハードコート層を設けてもよい。
【０００７】
【発明の実施の形態】
以下、本発明の各形態例を図面に基づいて説明する。
【０００８】
図１及び図２は第１形態例を示し、防護用ボート１は、図１に示すごとく、ポリカーボネートを用いた基材ボード２と、該基材ボード２の一側面及び他側面のそれぞれに、接着層３を介して配設される合成樹脂フィルム４とからなっている。
【０００９】
基材ボード２に用いるポリカーボネートは、軽量及び透明でかつ耐衝撃強度や防弾性，防刀性，耐候性のいずれにも優れいる。例えば、スーツケースやトランクケース等の持ち運び用ケースの補強用芯材として用いる場合には、基材ボード２の厚さを２ｍｍ〜１２ｍｍ程度、好ましくは５ｍｍ〜８ｍｍの範囲の厚さに設定することにより、木刀などによる衝撃荷重や拳銃からの被弾，刀剣による切り込みにも、破損や損傷を生じることなくよく堪える。
【００１０】
各合成樹脂フィルム３には、引っ張り強度と緩衝作用に優れた、例えば、薄膜のポリエステルフィルムやポリエチレンフィルム，ポリエチレンテレフタレートフィルム，ウレタンフィルムを３重に重ね合わせしたものが用いられ、これらをポリカーボネート製の基材ボード２の両側面に接合することによって、上記した耐衝撃性や防弾性，防刀性等の防犯性をより一層高めている。
【００１１】
このように構成される防護用ボード１は、例えば、図２に示すごとく、スーツケースやトランクケース，アタッシュケース等の持ち運び用ケース５の布製や軟質または硬質の合成樹脂で形成されたケース本体６の内側に、該ケース本体６を補強する芯材として、接着剤やビスなどの固定具、あるいはケース本体６と内張り材との間へ縫い込みするなど適宜な取り付け手段を用いて配設される。
【００１２】
この結果、布製や軟・硬質合成樹脂製のケース本体６を極力軽量に維持し、持ち運び用ケース５の取り扱い性を保持しつつ、ケース本体６の強靱性を高めて、木刀などによる衝撃荷重や拳銃からの被弾、刀剣による切り込みにも破損や損傷を生じることなくよく堪える。したがって、内部の金品を確実に防護して防犯性を高めるばかりか、銃刀などで襲われた場合には、持ち運び用ケース５の陰に隠れることにより、身を守る楯とすることができる。
【００１３】
なお、本発明の防護用ボードは、基材ボード２に用いるポリカーボネートが軽量であるため、布製や軟・硬質合成樹脂製のケース本体に用いることが、持ち運び用ケース５の取り扱いに容易であるが、アルミニュームやステンレス，ジュラルミン等の軽金属を材料とするケース本体の補強用芯材として用いることも、もちろん可能である。
【００１４】
図３は、本発明の第２形態例を示すもので、本形態例の防護用ボート１０は、前記第１形態例の防護用ボート１と構成を共通とし、さらに基材ボード２と反対側の最外側に位置する一方の合成樹脂フィルム４の表面に、ハードコート層１１を追加した点で、第１形態例の防護用ボート１と異なっている。
【００１５】
上記ハードコート層１１は、飛石等による不慮の外力を受けた場合に、基材ボード２に用いたポリカーボネートの耐衝撃性能と相俟って、防護用ボート１０への傷つきを防止する。
【００１６】
したがって、従来透明性や採光性が必要な箇所に用いられてきたガラス板を、本形態例の防護用ボート１０に代えることによって、ガラスの破損や飛散事故を防止することができ、例えば、各種製品の覗き窓や高速道路の防音壁，鉄道車両や自動車の窓等に使用することができる。したがって、透明なポリカーボネートとともに、合成樹脂フィルム３に透明なものを用いる。
【００１７】
なお、前述の各形態例では、合成樹脂フィルムを３層式で説明したが、本発明の合成樹脂フィルムは、基材ボードの一側面または両側面に単層または３層以外の複数層で設けることができる。また複数枚の合成樹脂フィルム同士を直接貼り合わせて一層の重合合成樹脂フィルムとしてしてもよく、さらにこの重合合成樹脂フィルムを、基材ボードの一側面または両側面に、接着層を介して複数層に設けることもできる。
【００１８】
【発明の効果】
以上説明したように、本発明の防護用ボードによれば、軽量でかつ高い強靱性と耐衝撃性を確保でき、例えば、スーツケースやトランクケース等の持ち運び用ケースの補強用芯材に適用した場合には、持ち運び用ケースを軽量に保ちつつ高い防犯効果が得られる。
【００１９】
また、基材ボードと反対側の最外側に位置する合成樹脂フィルムの表面にハードコート層を設けることにより、軽量でかつ高い強靱性と耐衝撃性を発揮しつつ、ハードコート層が防護用ボードの傷つきを防止するので、各種製品に設けられる覗き窓や高速道路の防音壁，鉄道車両や自動車の窓等に適している。
【図面の簡単な説明】
【図１】本発明の第１形態例を示す防護用ボードの断面図
【図２】図１の防護用ボードを持ち運びケースに適用した状態を示す断面図
【図３】本発明の第２形態例を示す防護用ボードの断面図
【符号の説明】
１，１０…防護用ボート、２…ポリカーボネートを用いた基材ボード、３…接着層、４…合成樹脂フィルム、５…持ち運び用ケース、６…ケース本体、１１…ハードコート層
【図１】
2004188144.tif 000003
【図２】
2004188144.tif 000004
【図３】
2004188144.tif 000005